(57)【要約】      （修正有）【課題】小電力、多色発光ができ、携帯もできる。【解決手段】  主に制御サーキットへ電源供給電気回路１０、主制御電気回路２０、充電式制御電気回路３０、多色発光ダイオード２１を設け、主制御電気回路２０はマイクロプロセッサ、機能設定キーＳＷ１、電源スイッチＳＷ２を具有し、多色発光ダイオード２１の放つ光の色および変化を選択することができ、充電式制御電気回路３０は充電式電池Ｖ、充電制御クリスタルＵ１、ゲート制御トランジスタＱ１，Ｑ２を具有し、主電源から離脱しても発光ダイオードは光を放つことができ、懐中電灯の機能も具える。【選択図】図１
0003100721.tif 000002
【実用新案登録請求の範囲】
【請求項１】
外殻へかさを組合せ、
該外殻の中へ制御サーキットを設け、
該かさは光を透し、及びその中へ発光ダイオードを設け、
該制御サーキットの構造は、
電源供給電気回路、主制御電気回路、多色発光ダイオード、充電制御電気回路を含み、
該電源供給電気回路は、
電気抵抗、蓄電器の容量、ダイオードを具有し、主電源となる家屋のコンセントへ差込み、主電源の交流電気を整流、減圧してサーキット及び多色発光ダイオードが必要とする直流電気とし、
該多色発光ダイオードは、
数種の異なる色の発光ダイオードを含み、異なる色の光を放ち、
該主制御電気回路は、
マイクロプロセッサ、機能設定キー、電源スイッチを具有し、
該マイクロプロセッサは、
メモリ、インタプリテーション、シグナル受信制御を具有し、多色発光ダイオードが異なる色に光を放ち、及び電源のターンオン、ターンオフを制御し、
該充電制御電気回路は、
充電制御クリスタル、２つのゲート制御トランジスタ、充電式電池を設け、
該充電制御クリスタルは、
電源供給電気回路が通電しているかどうか、ターンオフ状態及び充電式電池の充電量が足りているかどうかを感知し、該電源供給電気回路が通電して、充電式電池の充電量が不足する時、電源供給電気回路のゲート制御トランジスタへ連接してターンオンとし、連接する多色発光ダイオード及びマイクロプロセッサにあるもう一つのゲート制御トランジスタはターンオンとならず、
充電式電池が十分に充電している時、充電制御クリスタルは感知して制御シグナルを発信して、ゲート制御トランジスタはターンオフの状態となり、もう一つのゲート制御トランジスタもターンオフの状態の保持し、
電源供給電気回路は主電源から離脱し、主制御電気回路の電源スイッチがONターンオンの状態を呈す時、
充電制御クリスタルは電源供給電気回路が無電源であることを感知し、充電式電池に連接する電源供給電気回路のゲート制御トランジスタをターンオフ、多色発光ダイオードにあるもう一つのゲート制御トランジスタをターンオンとし、充電式電池により多色発光ダイオードは光を放ち、
上述により、多色発光ダイオードの光の色を選択し、且つ、家屋の主電源に差込まない時、充電式電池を具有する為移動照明としての役割を達成することを特徴としているナイトライト。
【請求項２】
前記発光ダイオードは各自独立した複数の固体及び単一の固体を呈すことを特徴としている請求項1記載のナイトライト。
【考案の詳細な説明】
【技術分野】
【０００１】
本考案はナイトライトが具有する多方面の機能に係り、更に実用的な効果となるものである。主な技術・目的は、
その１．主制御電気回路、電源供給電気回路、充電制御電気回路、多色発光ダイオードを設け、主制御電気回路はマイクロプロセッサCPU、機能設定キー、電源スイッチ、を具有しており、多色発光ダイオードの異なる光の色を選択することもできるものである。
その２．充電制御電気回路は充電制御クリスタル、充電式電池、２つのゲート制御トランジスタを設け、主要電源に差込むことで充電でき、充電が完了すると自動的に充電を停止し、主電源を使用する時自動的に充電式電池は電気の供給を停止し、このように本考案は主電源を使用し（家屋のコンセント）、及び主電源から離脱可能であるため懐中電灯の役割もはたし、更に多くの実用効果となる。
【背景技術】
【０００２】
ナイトライトを家屋のコンセントへ差込み夜間微弱な光（約２W）の照明灯としての役割を果たし、公知の構造はどれも「タングステン電球」又は「小型蛍光灯」を使用しているため、下記の欠点を有する。
１．タングステン電球、蛍光灯はかなりの電力を消費する（約２W）
２．タングステン電球は赤色のガラス球をつけることにより赤色の光を放っており、蛍光灯はその他の色であるがどれも固定された色であり、随時色を変化することは出来ない。
３．公知の構造は使用時に家屋のコンセントへ必ず差し込まなくてはならず、コンセントからはずしてしまうと電気はつかない、また固定された照明であるため、携帯して移動することは不可能である。
【特許文献１】特開２００２−３７３５０６号公報
【考案の開示】
【考案が解決しようとする課題】
【０００３】
上記公知構造の欠点を解決するため、下記のナイトライトの提供を課題とする。
主制御電気回路、電源供給電気回路、充電制御電気回路、多色発光ダイオードを設け、主制御電気回路はマイクロプロセッサCPU、機能設定キー、電源スイッチ、を具有しており、多色発光ダイオードの異なる光の色を選択することもできるものである。充電制御電気回路は充電制御クリスタル、充電式電池、２つのゲート制御トランジスタを設け、主要電源に差込むことで充電でき、充電が完了すると自動的に充電を停止し、主電源を使用する時自動的に充電式電池は電気の供給を停止し、このように本考案は主電源を使用し（家屋のコンセント）、及び主電源から離脱可能であるため懐中電灯の役割もはたし、更に多くの実用効果となり公知構造の欠点と不便を解決することを課題とする。
【課題を解決するための手段】
【０００４】
本考案のナイトライトは、図１、２、３に示すように  外殻１とかさ２の組合せに係り、該外殻１の中へ制御サーキットを設け、かさ２は光を透す及びその中へ発光ダイオードを設け、該制御サーキットの構造は電源供給回路１０、主制御回路２０、多色発光ダイオード２１、充電制御電気回路３０を含み、
その中、該電源供給電気回路１０は電気抵抗、蓄電器の容量、ダイオードを具有し、主電源となる家屋の電源コンセントへ差込み、主電源の交流電気を整流、減圧してサーキット及び多色発光ダイオード２１が必要とする直流電気とする。
該多色発光ダイオード２１は、異なる色の発光ダイオードLED1、LED2、LED3を含み、異なる色の光を放つ。
該主制御電気回路２０はマイクロプロセッサCPU、機能設定キーSW1、電源スイッチSW2を具有し、マイクロプロセッサCPUはメモリ、インタプリテーション、シグナルの受信制御を具有し、多色発光ダイオードが異なる色に発光及び電源のターンオフ、ターンオンを制御する。
該充電制御電気回路３０は充電制御クリスタルU１、ゲート制御トランジスタQ1、Q2、充電式電池Vを設け、充電制御クリスタルU１は電源供給電気回路１０に通電しているかどうか感知する機能を具有し、電源供給電気回路１０の通電はターンオフとなる及び充電式電池Vが電量不足の時、電源供給電気回路１０のゲート制御トランジスタQ1がターンオン、多色発光ダイオード２１及びマイクロプロセッサCPUにあるもう一つのゲート制御トランジスタQ2はターンオンとならず、充電式電池Vが充電完成後、充電制御クリスタルU１は感知並びに制御シグナルを発信してゲート制御トランジスタQ1はターンオフとなり、もう一つのゲート制御トランジスタQ2もターンオフを保持する。
すなわち、本考案のナイトライトは以下に述べる特徴を有する。
１．外殻へかさを組合せ、
該外殻の中へ制御サーキットを設け、
該かさは光を透し、及びその中へ発光ダイオードを設け、
該制御サーキットの構造は、
電源供給電気回路、主制御電気回路、多色発光ダイオード、充電制御電気回路を含み、
該電源供給電気回路は、
電気抵抗、蓄電器の容量、ダイオードを具有し、主電源となる家屋のコンセントへ差込み、主電源の交流電気を整流、減圧してサーキット及び多色発光ダイオードが必要とする直流電気とし、
該多色発光ダイオードは、
数種の異なる色の発光ダイオードを含み、異なる色の光を放ち、
該主制御電気回路は、
マイクロプロセッサ、機能設定キー、電源スイッチを具有し、
該マイクロプロセッサは、
メモリ、インタプリテーション、シグナル受信制御を具有し、多色発光ダイオードが異なる色に光を放ち、及び電源のターンオン、ターンオフを制御し、
該充電制御電気回路は、
充電制御クリスタル、２つのゲート制御トランジスタ、充電式電池を設け、
該充電制御クリスタルは、
電源供給電気回路が通電しているかどうか、ターンオフ状態及び充電式電池の充電量が足りているかどうかを感知し、該電源供給電気回路が通電して、充電式電池の充電量が不足する時、電源供給電気回路のゲート制御トランジスタへ連接してターンオンとし、連接する多色発光ダイオード及びマイクロプロセッサにあるもう一つのゲート制御トランジスタはターンオンとならず、
充電式電池が十分に充電している時、充電制御クリスタルは感知して制御シグナルを発信して、ゲート制御トランジスタはターンオフの状態となり、もう一つのゲート制御トランジスタもターンオフの状態の保持し、
電源供給電気回路は主電源から離脱し、主制御電気回路の電源スイッチがONターンオンの状態を呈す時、
充電制御クリスタルは電源供給電気回路が無電源であることを感知し、充電式電池に連接する電源供給電気回路のゲート制御トランジスタをターンオフ、多色発光ダイオードにあるもう一つのゲート制御トランジスタをターンオンとし、充電式電池により多色発光ダイオードは光を放ち、
上述により、多色発光ダイオードの光の色を選択し、且つ、家屋の主電源に差込まない時、充電式電池を具有する為移動照明としての役割を達成することを特徴としている。
２．前記発光ダイオードは各自独立した複数の固体及び単一の固体を呈すことを特徴としている。
【考案の効果】
【０００５】
本考案はナイトライトが具有する多くの機能を制御し、更に実用的な効果を具えることができるものである。
【考案を実施するための最良の形態】
【０００６】
本考案は多色発光ダイオード２１に係り、高い発光度の発光ダイオードに関する。また、図３に示すように、多色が一つの電球に集まり（注：発光ダイオードは多色の光を放つことは既に公知の技術である。）、また図４に示すように、異なる3色（例えば赤、緑、青）の発光ダイオードLED１、LED２、LED３は各自独立した固体であり、また別に単色の光を放つ発光ダイオードも本考案の範囲に含まれるものである。
【０００７】
主電源となる家屋のコンセントに差込む時、即ち電源供給電気回路１０を主電源へ差込むと、電源供給電気回路１０は主電源の交流電気を整流、減圧して低電圧の直流電気とし、この時仮に主制御電気回路２０の電源スイッチSW2がON（ターンオン）を呈すと多色発光ダイオード２１は光を放ち、仮に電源スイッチ
SW2がOFF（ターンオフ）を呈すと光らない。また、電源供給電気回路１０が通電している時、充電制電気御回路３０の充電式電池Vは充電が完了するまで充電する。
【０００８】
電源供給電気回路１０を主電源から離脱し、主制御電気回路２０の電源スイッチSW2がON（ターンオン）を呈す状態の時、充電制御電気回路３０の充電式電池Vが多色発光ダイオード２１を発光させる。よって本考案は移動して使用でき、懐中電灯に似た効果を具える。例えば、寝室でナイトライトを家屋のコンセントへ固定して使用しているが、トイレや台所、或いは他の部屋へ移動したい時、本考案をコンセントから脱離し携帯照明とすることができ、また室外へ携帯することもできるので方向指示用の照明としても使用することができ、広範囲に使用することができる実用的な効果を具えるものである。
【０００９】
「発光色」の選択方法としては、本考案は多色発光ダイオード２１を設けており、該発光ダイオード２１は異なる光の色を具有する発光ダイオードLED1、LED２、LED３に係り、例えば赤色、緑色、青色（色の3原色）を採用し、機能設定キーSW1を一回押すと赤色の光、二回押すと緑色の光、三回押すと青色の光、四回押すと赤と緑色の光、五回押すと赤と青色の光、六回押すと緑と青色の光、七回押すと3色が同時に光を放ち、長時間（約3秒間）押すと最初の状態へもどり赤色の光を放つ、マイクロプロセッサCPUの制御により光を放ち、特に二色の光が同時に光を放つ時、二色が混ぜ合わされた色の光を放つ効果を生み出し、新たに別の色を生み出すことになる。例えば赤色と青色が同時に光を放つと紫色の光となり、色彩の変化の効果を生み出し、電球を替えることなく異なる色の光を放つ効果となる。
【００１０】
「充電制御電気回路３０」の制御方法は、主電源とする家屋のコンセントへ差込むと、電源供給電気回路１０は通電し、電気抵抗R8はバイアスを産出してゲート制御トランジスタQ1をターンオンとし、これにより充電制御クリスタルU1を経由して充電式電池Vへ電気を供給し、且つ充電式電池V及び多色発光ダイオード２１、マイクロプロセッサCPUへ直接電気を供給するためにダイオードD４、D５を具有し、もう一つのゲート制御トランジスタQ2を隔離し、それによりゲート制御トランジスタQ2は無バイアスとなり、ターンオフ状態を呈す。よって充電式電池Vの電源は多色発光ダイオード２１、マイクロプロセッサCPUへ供給しない状態となり、電源供給電気回路１０を経由して主電源を供給する。充電式電池Vの充電が完成すると充電制御クリスタルU1は充電式電池Vの電量が既に飽和状態に達成したことを感知し、ターンオフ状態を呈し、ゲート制御トランジスタQ１はターンオフとなり、主電源である電源供給電気回路１０は充電式電池Vへ供給しない、充電式電池Vの電量の消耗しないとゲート制御トランジスタQ1はターンオンとならず、電源供給電気回路１０は家屋のコンセントである主電源から離脱するとゲート制御トランジスタQ1がバイアスを産出する電源がないとターンオフとなり、この時ダイオードD４、D５は再び電源の無い状態となり、充電式電池Vの電源は譲ることが出来るのでもう一つのゲート制御トランジスタQ2をターンオンとし、充電式電池Vは多色発光ダイオード２１、マイクロプロセッサCPUへ電源を供給して光を放つ、
このほかに電源スイッチSW２をON（ターンオン）、OFF（ターンオフ）にすることにより、多色発光ダイオード２１を制御し、光を放ったり、消したりする。
【図面の簡単な説明】
【００１１】
【図１】本考案の立体外観図である。
【図２】本考案の断面図である。
【図３】本考案の制御サーキット構造である。
【図４】本考案の多色発光ダイオードが各自独立する固体である実施例のサーキット構造図である。
【符号の説明】
【００１２】
１                  外殻
２                  かさ
１０                電源供給電気回路
２０                主制御電気回路
２１                多色発光ダイオード
３０                充電制御電気回路
CPU                マイクロプロセッサ
D4,D5              ダイオード
LED1,LED2,LED3,  発光ダイオード
Q1,Q2              ゲート制御トランジスタ
SW1                機能設定キー
SW2                電源スイッチ
U1                  充電制御クリスタル
V                    充電式電池
【図１】
0003100721.tif 000003
【図２】
0003100721.tif 000004
【図３】
0003100721.tif 000005
【図４】
0003100721.tif 000006